(57)【要約】 【課題】  小型化に好適な基板用コネクタを提供する。【解決手段】  端子金具２０は、ハウジング１０に対して挿入保持される基部２１と、基部２１の下端部に設けられるとともに基板Ｋに対して半田付けにより導通接続される基板側接続部２３とが設けられている。端子金具２０は、ハウジング１０に対して複数本が幅方向について並列した状態で装着されている。基板側接続部２３は、基部２１よりも幅狭に形成されている。従って、隣り合う端子金具２０間の幅方向のピッチが小さい場合でも、基板側接続部２３間のピッチを十分に確保することができる。【選択図】  図３
2005166492.tif 000002
【特許請求の範囲】
【請求項１】
コネクタハウジングに保持される基部と、基部の一端側に設けられるとともに基板に対して接続可能な基板側接続部とを有する端子金具が、複数本幅方向に並列した状態で前記コネクタハウジングに装着されてなるものであって、
前記基板側接続部は、前記基部よりも幅狭に形成されていることを特徴とする基板用コネクタ。
【請求項２】
前記基部の他端側には、前記コネクタハウジングに対して嵌合可能とされる相手のコネクタハウジングに配された相手端子と接続可能なコネクタ側接続部が設けられ、このコネクタ側接続部が前記コネクタハウジングにおける嵌合面から突出する形態で形成されるものにおいて、
前記基部は、前記コネクタ側接続部よりも幅広に形成されていることを特徴とする請求項１記載の基板用コネクタ。
【請求項３】
前記コネクタハウジングには、前記端子金具が高さ方向に複数段装着されるものにおいて、
各段の前記端子金具が幅方向について互いにずれた位置に配されるとともに、各段の端子金具における前記基板側接続部が前後方向についてほぼ同じ位置に配されていることを特徴とする請求項１または請求項２記載の基板用コネクタ。
【発明の詳細な説明】
【技術分野】
【０００１】
本発明は、基板用コネクタに関する。
【背景技術】
【０００２】
従来、基板用コネクタの一例として下記特許文献１に記載されたものが知られている。このものは、ハウジングに対して端子金具の基部が挿入保持されるとともに、端子金具のうちハウジングから後方へ突出した部分が下方へ屈曲されてその下端部が基板に対して半田付けによって導通接続される基板側接続部となっている。端子金具は、複数本が幅方向に沿って並列した状態で配されている。
【特許文献１】特開平６−３２５８２６号公報
【発明の開示】
【発明が解決しようとする課題】
【０００３】
ところで、基板用コネクタを小型化するよう要請があった場合には、各端子金具間の幅方向のピッチを狭くする必要が生じる場合がある。その場合、各基板側接続部間のピッチについても狭くなるため、基板に対して各基板側接続部を個別に半田付けする作業がし難くなるおそれがあった。
本発明は上記のような事情に基づいて完成されたものであって、小型化に好適な基板用コネクタを提供することを目的とする。
【課題を解決するための手段】
【０００４】
上記の目的を達成するための手段として、請求項１の発明は、コネクタハウジングに保持される基部と、基部の一端側に設けられるとともに基板に対して接続可能な基板側接続部とを有する端子金具が、複数本幅方向に並列した状態で前記コネクタハウジングに装着されてなるものであって、前記基板側接続部は、前記基部よりも幅狭に形成されている構成としたところに特徴を有する。
【０００５】
請求項２の発明は、請求項１に記載のものにおいて、前記基部の他端側には、前記コネクタハウジングに対して嵌合可能とされる相手のコネクタハウジングに配された相手端子と接続可能なコネクタ側接続部が設けられ、このコネクタ側接続部が前記コネクタハウジングにおける嵌合面から突出する形態で形成されるものにおいて、前記基部は、前記コネクタ側接続部よりも幅広に形成されているところに特徴を有する。
【０００６】
請求項３の発明は、請求項１または請求項２に記載のものにおいて、前記コネクタハウジングには、前記端子金具が高さ方向に複数段装着されるものにおいて、各段の前記端子金具が幅方向について互いにずれた位置に配されるとともに、各段の端子金具における前記基板側接続部が前後方向についてほぼ同じ位置に配されているところに特徴を有する。
【発明の効果】
【０００７】
＜請求項１の発明＞
基板側接続部を基部よりも幅狭に形成するようにしたから、並列した各端子金具間の幅方向のピッチが小さい場合でも、基板に対して基板側接続部を接続し易くなる。これにより小型化に好適な基板用コネクタを提供することができる。
【０００８】
＜請求項２の発明＞
小型化に伴って相手端子に適合するようコネクタ側接続部の幅寸法が小さくなった場合でも、基部がコネクタ側接続部よりも幅広に形成されているから、端子金具の強度を適切に保つことができる。
＜請求項３の発明＞
前後方向について基板用コネクタを小型化することができる。
【発明を実施するための最良の形態】
【０００９】
本発明の一実施形態を図１ないし図８によって説明する。本実施形態に示す基板用コネクタＣは、複数本の端子金具２０と、各端子金具２０が装着されるコネクタハウジング１０（以下、単にハウジング１０という）と、ハウジング１０に装着される一対の基板固定部３０とから構成されている。ハウジング１０は、基板固定部３０により基板Ｋに対して固定されるとともに、図示しない相手のハウジングと嵌合可能とされている。なお以下では、ハウジング１０における相手のハウジングとの嵌合面側（図５の右側）を前方とし、また上下方向については図３、図６及び図８を除いた各図を基準とする。
【００１０】
ハウジング１０は、図１及び図５に示すように、全体として横長に形成されるとともに、端子金具２０を保持可能な端子保持部１１と、端子保持部１１の周縁から前方へ突出するフード部１２とから構成されている。端子保持部１１には、後方から端子金具２０を挿入可能な端子挿入孔１３が複数設けられている。各端子挿入孔１３は、幅方向に沿って並列した状態で上下２段に配されており、詳しくは下段側に２２個、上段側に１８個ずつ配置されており、特に上段側については９個ずつ図１に示す左右に分けて配置されている。上段側の各端子挿入孔１３と下段側の各端子挿入孔１３は、互いに幅方向にずれた位置（互い違いの位置）に配されている。各端子挿入孔１３における前後両端部は、図６に示すように、中間部分１３ａよりも幅広に形成されている。このうち後端部は、端子金具２０の前止まり部を受け入れ可能な受け部１３ｂとなっているのに対し、前端部は、端子金具２０の挿入に伴って削り取られる端子挿入孔１３の周縁部を逃すための逃がし部１３ｃとなっている。また各端子挿入孔１３の後端部における上下面には、図５に示すように、端子金具２０の挿入動作を案内可能なテーパ面１３ｄが形成されている。
【００１１】
フード部１２は、前方へ開口する略角筒状に形成されており、前方からは相手のハウジングが内嵌可能とされている。フード部１２の上部における幅方向略中央位置には、相手のハウジングのロックアームが係止することで両ハウジングを嵌合状態に保持可能なロック部１４が下方（内方）へ突出して設けられている。フード部１２（ハウジング１０）の幅方向両側端部には、各基板固定部３０を個別に装着可能な装着溝１５が一対設けられている。
【００１２】
基板固定部３０は、ハウジング１０とは別体の金属板からなり、金属板を所定形状に打ち抜くとともに曲げ加工などを施すことで成形されている。基板固定部３０は、図１，図３及び図４に示すように、上下方向に沿う略平板状をなす本体部３１と、本体部３１の下端部３５から幅方向に沿って側方へ突出する半田付け部３２とから構成されている。一方、この基板固定部３０が装着される装着溝１５は、本体部３１がその板面方向に沿って挿入可能とされる本体部収容部１６と、半田付け部３２がその板面方向と直交する方向に沿って挿入可能とされる半田付け部収容部１７とから構成されている。
【００１３】
基板固定部３０のうち本体部３１は、上部３３（大幅部）、中部３４（中幅部）、下端部３５（小幅部）の順で幅が狭くなるよう３段階の幅寸法を有する段付き状に形成され、半田付け部３２は、連結される下端部３５とほぼ同じ幅寸法に形成されている。これに対し、装着溝１５のうち本体部収容部１６は、本体部３１の上部３３とほぼ同じかそれよりも大きい幅寸法の幅広部１８と、本体部３１の中部３４とほぼ同じかそれよりも大きい幅寸法の幅狭部１９とを上下に繋げた構成とされ、半田付け部収容部１７は、本体部３１の下端部３５及び半田付け部３２とほぼ同じ幅寸法かそれよりも大きい幅寸法に形成されている。
【００１４】
本体部３１の中部３４における両側縁からは、一対の抜け止め部３６が側方に突出して形成されており、この抜け止め部３６は、装着に伴って本体部収容部１６の幅狭部１９の溝縁に対して食い込むことで基板固定部３０を装着溝１５から抜け止め状態に保持可能とされている。また半田付け部３２の側方への突出寸法は、半田付け部収容部１７の深さとほぼ同じと設定されているので、装着状態では半田付け部３２の突出外端がハウジング１０の外側面とほぼ面一をなす。
【００１５】
端子金具２０は、図５に示すように、金属板を所定形状に打ち抜くとともに曲げ加工などを施すことで成形されている。端子金具２０は、端子保持部１１に保持されるとともに端子保持部１１から後方へ突出する部分（後部２１ｂ）を所定位置から下方へ向けて屈曲させることで略Ｌ字型をなす基部２１を有している。基部２１のうち端子挿入孔１３内に挿入される前部２１ａの幅寸法は、端子挿入孔１３の中間部分１３ａの幅寸法よりも僅かに大きくなるよう設定されているので、基部２１は端子挿入孔１３内に圧入気味に挿入されるようになっている。一方、端子保持部１１から後方へ突出する後部２１ｂの幅寸法は、前部２１ａや端子挿入孔１３の中間部分１３ａよりも小さく設定されている。
【００１６】
基部２１の前端部には、端子保持部１１の前面（嵌合面）から前方へ突出してフード部１２により取り囲まれるコネクタ側接続部２２が設けられており、相手のハウジングに配された相手端子と導通接続可能とされる。一方、基部２１の下端部には、後方へ向けて屈曲される基板側接続部２３が設けられており、基板Ｋにプリントされた導電路（図示せず）に対して半田付けにより導通接続可能とされる。また端子金具２０は、板厚寸法が全長にわたって同じに設定されており、基部２１については全長にわたって板厚寸法よりも幅寸法の方が大きくなるよう設定されている。
【００１７】
基部２１の前部２１ａにおける後端部の両側縁には、側方へ張り出す一対の前止まり部２４が設けられており、端子挿入孔１３に対して端子金具２０を正規深さまで挿入したところでこの前止まり部２４の前端面が受け部１３ｂの後端面に突き当たることで端子金具２０を正規の挿入位置から前止まり可能とされる。基部２１の前部２１ａの両側縁における両前止まり部２４の前方位置には、側方へ僅かに突出するとともに端子挿入孔１３の孔縁に対して食い込むことで端子金具２０を抜け止め保持可能な抜け止め部２５が一対設けられている。
【００１８】
さて、基板側接続部２３は、図２，図３及び図６に示すように、基部２１の後部２１ｂよりも幅狭に形成されている。詳しくは基板側接続部２３は、その幅寸法が端子金具２０の板厚寸法とほぼ同じ程度に設定されており、図３に示す手前側の側面が基部２１の後部２１ｂにおける手前側の側面と略面一状とされるのに対し、奥側の側面が基部２１の後部２１ｂにおける奥側の側面と段違いになっている。従って、幅方向について隣り合う基板側接続部２３間のピッチは、隣り合う基部２１の後部２１ｂ間のピッチに加えて、基部２１の後部２１ｂの幅寸法から基板側接続部２３の幅寸法を差し引いた寸法を足し合わせた大きさとなる。
【００１９】
一方、コネクタ側接続部２２は、基板側接続部２３よりも幅広であるものの基部２１の前部２１ａより幅狭に形成されており、言い換えると基部２１の前部２１ａがコネクタ側接続部２２よりも幅広に形成されている。コネクタ側接続部２２と基部２１との境界部分は、基部２１側に行くに従って次第に幅寸法が大きくなる形状とされており、その両側面がテーパ状の挿入案内面２６となっている。この挿入案内面２６により端子金具２０を端子挿入孔１３内に挿入する動作が案内されるようになっている。
【００２０】
ところで、端子挿入孔１３は、既述した通りいわゆる千鳥配置となっている。従って、各端子金具２０をハウジング１０に対して装着した状態では、上段の端子金具２０と下段の端子金具２０は、図２及び図３に示すように、幅方向について互いにずれた位置に配され、いわゆる千鳥配置となるとともに、上下各段の端子金具２０における基板側接続部２３の後端位置が前後方向についてほぼ同じ位置に配されるようになっている。
【００２１】
本実施形態は以上のような構造であり、続いてその作用を説明する。端子金具２０を製造するにあたっては、金属板を所定形状に打ち抜いたものに曲げ加工や叩き加工などを施すようにしている。ここで、使用する金属板によっては打ち抜き時に幅寸法が板厚寸法よりも小さい場合があるが、その場合には叩き加工を施すことで端子金具２０全体を幅方向に圧延して各部位の幅寸法及び板厚寸法を予定の大きさとした後に、基部２１を所定位置にてほぼ直角に折り曲げて屈曲部２１ｃを成形するようにする。このように板厚寸法を幅寸法よりも小さくした後に曲げ加工を行うようにしているので、曲げ加工の精度が高まり、もって屈曲部２１ｃを確実に予定通りの形状に成形することができる。
【００２２】
上記のようにして得た端子金具２０を、図７及び図８に示す状態からハウジング１０に対して装着する作業を行う。コネクタ側接続部２２の前端部から端子挿入孔１３内に挿入し、所定深さに達したところで基部２１が端子挿入孔１３における中間部分１３ａ内に進入する。このとき、基部２１の前部２１ａの幅寸法が端子挿入孔１３の中間部分１３ａの幅寸法よりも大きいので圧入気味になって挿入抵抗が増加するのであるが、端子挿入孔１３の孔縁に対して挿入案内面２６が徐々に食い込むことで挿入抵抗が少しずつ増加することになるので、挿入作業をスムーズに行うことができる。この過程では、抜け止め部２５が端子挿入孔１３の孔縁に食い込むとともに前止まり部２４が受け部１３ｂ内に進入する。そして、端子金具２０が正規深さに達すると、図５及び図６に示すように、前止まり部２４の前端面が受け部１３ｂの後端面に突き当たることで、それ以上の挿入が規制される。この状態では、抜け止め部２５が端子挿入孔１３の孔縁に食い込んで引っ掛かることで、その抜け止めが図られる。なお図７では下段側の端子金具２０のみ図示するものとする。
【００２３】
全ての端子金具２０を挿入し終えたら、両基板固定部３０をハウジング１０の両装着溝１５内に装着し、その後ハウジング１０を基板Ｋ上に載置して基板固定部３０を基板Ｋに対して固定する作業を行う。なお基板固定部３０の装着作業を先に行ってから端子金具２０の装着作業を行うようにしても構わない。基板固定部３０における半田付け部３２の周縁に溶融した半田を付着させ、それが固化することで基板固定部３０を基板Ｋに対して固定される。
【００２４】
引き続いて、各端子金具２０の半田付け作業を連続して行う。各端子金具２０の基板側接続部２３を基板Ｋにおける対応する導電路に配するとともに、基板側接続部２３の周縁部に半田を付着させる。付着した半田が固化することで、基板側接続部２３が導電路に導通接続された状態で基板Ｋに対して固定される。このとき、基板用コネクタＣが小型な上、前後方向の小型化を図るべく端子金具２０をいわゆる千鳥配置にしているため、各端子金具２０間の幅方向のピッチが狭くなっているものの、基板側接続部２３を基部２１の後部２１ｂよりも幅狭に形成しているので、隣り合う基板側接続部２３間のピッチが基部２１の後部２１ｂ間のピッチよりも広くなっており、もって導電路に対する半田付け作業がし易くなっている。なお端子金具２０の半田付け作業を先に行ってから基板Ｋへの固定作業を行うようにしても構わないが、その場合でも連続的に半田付けを行うことができる。
【００２５】
上記のようにして基板用コネクタＣを基板Ｋ上に装着したら、相手のハウジングをフード部１２内に嵌合する。すると、端子金具２０のコネクタ側接続部２２に対して相手端子が導通接続される。
【００２６】
以上説明したように本実施形態によれば、端子金具２０のうち基板側接続部２３を基部２１よりも幅狭に形成するようにしたから、基板用コネクタＣの小型化や端子金具２０をいわゆる千鳥配置としたことなどに伴って、並列した各端子金具２０間の幅方向のピッチが小さい場合でも、隣り合う基板側接続部２３間のピッチを十分に確保することができ、もって基板Ｋに対して基板側接続部２３を接続し易くすることができる。これにより、小型化に好適な基板用コネクタＣを提供することができる。
【００２７】
しかも、基部２１がコネクタ側接続部２２よりも幅広に形成されているから、小型化に伴って相手端子に適合するようコネクタ側接続部２２の幅寸法が小さくなっても、端子金具２０の強度を適切に保つことができる。さらには、上下各段の端子金具２０を幅方向について互いにずれた位置に配し、いわゆる千鳥配置とするとともに、上下各段の端子金具２０における基板側接続部２３の後端位置を前後方向についてほぼ同じ位置に配するようにしたから、前後方向について基板用コネクタＣを小型化することができる。
【００２８】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記した実施形態では、基部の幅寸法が板厚寸法よりも大きくなる場合を示したが、両寸法がほぼ同じにしたものや、板厚寸法の方が僅かに大きくなる設定としたものも本発明に含まれる。またコネクタ側接続部や基板側接続部の幅寸法及び板厚寸法についても同様に任意に変更可能である。その場合、コネクタ側接続部を基部と同幅にしてもよい。
【００２９】
（２）上記した実施形態では、各端子金具をいわゆる千鳥配置とした場合を示したが、上下の端子金具が幅方向について同じ位置に配される形態のものも本発明に含まれる。
（３）上記した実施形態では、端子金具を半田付けにより基板に接続するものを示したが、基板に基板側接続部を圧入して接続する、いわゆるプレスフィット端子を用いたものにも本発明は適用可能である。また端子金具について、基部を略Ｌ字型としたものに限らず、基部を真っ直ぐな形状としたものも本発明は適用可能である。また相手端子を雄型とし、コネクタ側接続部を雌型に形成したものにも本発明は適用可能である。
【図面の簡単な説明】
【００３０】
【図１】本発明の一実施形態に係る基板用コネクタの正面図
【図２】基板用コネクタの背面図
【図３】基板用コネクタの平面図
【図４】基板用コネクタの側面図
【図５】図１のＸ−Ｘ線断面図
【図６】図５のＹ−Ｙ線拡大断面図
【図７】端子金具を挿入する前の状態を示す図１のＸ−Ｘ線断面図
【図８】端子金具を挿入する前の状態を示す図７のＹ−Ｙ線拡大断面図
【符号の説明】
【００３１】
１０…ハウジング（コネクタハウジング）
２０…端子金具
２１…基部
２２…コネクタ側接続部
２３…基板側接続部
Ｃ…基板用コネクタ
Ｋ…基板
【図１】
2005166492.tif 000003
【図２】
2005166492.tif 000004
【図３】
2005166492.tif 000005
【図４】
2005166492.tif 000006
【図５】
2005166492.tif 000007
【図６】
2005166492.tif 000008
【図７】
2005166492.tif 000009
【図８】
2005166492.tif 000010